(57)【要約】      （修正有）【課題】地図についての、末端ユーザが有する種々の異なった要望、変化する要望に、詳細に対応することができる地図表示システムを提供する。【解決手段】地図データを蓄積する地図データ蓄積部と、文字情報等を蓄積する表示情報蓄積部と、リンク情報等を蓄積する付加情報蓄積部と、現在の位置を検出する現在位置検出部と、時刻発信手段と、地図の表示条件を入力する操作手段と、地図を画像表示するための表示部と、管理手段と、を備えた。【選択図】図１
0003201234.tif 000002
【実用新案登録請求の範囲】
【請求項１】
地図データを蓄積する地図データ蓄積手段と、
地図表示情報を蓄積する表示情報蓄積手段と、
現在の位置を検出する現在位置検出手段と、
時刻発信手段と、
地図の表示条件を入力する操作手段と、
地図を画像表示するための表示手段と、
管理手段と、を備え、
前記操作手段に入力された表示条件、前記時刻発信手段より発信される時刻、及び前記現在位置検出手段より発信される現在位置情報に基づいて、
前記管理手段が、前記地図データ蓄積手段に記憶されている地図データ、前記表示情報蓄積手段に記憶されている地図表示情報、前記時刻、及び前記現在位置情報からなる群より、表示対象を選択して読出すとともに表示形式を設定し、
前記表示対象を、前記表示形式により、前記表示手段に表示することを特徴とする地図表示システム。
【請求項２】
地図データを蓄積する地図データ蓄積部と、
地図表示情報を蓄積する表示情報蓄積部と、
現在の位置を検出する現在位置検出部と、
時計と、
地図の表示条件を入力する操作部と、
地図を画像表示する表示部と
管理用コンピュータと、を備え、
前記操作部に入力された表示条件、前記時計より発信される時刻、及び現在位置検出部より発信される現在位置情報に基づいて、
前記管理用コンピュータは、
前記地図データ蓄積部が記憶する地図データ、前記表示情報蓄積部が記憶する地図表示情報、前記時刻、及び前記現在位置情報からなる群より、表示対象を選択し、かつ、表示形式を設定し、
前記表示対象を、前記表示形式により、前記表示部上に表示する、
ことを特徴とする地図表示装置。
【請求項３】
付加情報蓄積部をさらに有する請求項２に記載の地図表示装置。
【請求項４】
前記操作部が、前記表示部上に表示された画像に透視可能に重ねて構成され、指示体の接触または接近により所定の入力を行う画像入力機能を含むことを特徴とする請求項２又は請求項３に記載の地図表示装置。
【考案の詳細な説明】
【技術分野】
【０００１】
本考案は、現在地表示機能を有する地図、特に、イラスト入りの地図やイラストにより表現された地図を表示するための地図表示システム、及び、前記地図表示システムを使用する地図表示装置に関する。
【背景技術】
【０００２】
インターネットに接続されたパソコンや、所謂スマートフォン等の情報端末のＷｅｂブラウザ上に、種々の地図や地図データを表示するシステムは、既に知られており広く利用されている。しかし、これらの広く利用されているシステムは、情報端末のＷｅｂブラウザ上に、Ｗｅｂサーバ側にある地図データを表示するものであり、Ｗｅｂブラウザ上で動作するプログラムとＷｅｂサーバ側のプログラムがインターネットを通じて協調して前記表示の動作をするＷｅｂアプリケーションである。従って、地図データを保有、蓄積し、インターネット上に置かれた地図サーバを必要とする。
【０００３】
一方、地図を利用する末端ユーザは、地図の位置、内容、縮尺のみでなく、地図表示の形式や内容等について、ユーザ毎に異なった種々の要望を有している。また、同一ユーザについても、地図についての要望は、地図を利用する時期や、当該ユーザの置かれた状況等により、変化する。しかし、インターネット上の地図サーバに保有される地図データを使用して地図や地図データをユーザの使用する情報端末に表示する従来のシステムでは、この末端ユーザの多岐にわたる要望や要望の変化に詳細に対応することは困難であった。
【考案の概要】
【考案が解決しようとする課題】
【０００４】
本考案は、地図についての、末端ユーザが有する種々の異なった要望、変化する要望に、詳細に対応することができる地図表示システムを提供することを課題とする。
【０００５】
本考案は、また、地図表示機能を有する情報端末であって、前記情報端末の操作により、末端ユーザが有する地図についての多岐にわたる要望、変化する要望に、詳細に対応する地図表示を、前記地図表示機能上に行うことができる地図表示装置を提供することを課題とする。
【課題を解決するための手段】
【０００６】
本考案者は検討の結果、以下に示す構成の地図表示システム、及び地図表示装置により前記課題が解決できることを見出し、本考案を完成した。
【０００７】
本考案は、
地図データを蓄積する地図データ蓄積手段と、
地図表示情報を蓄積する表示情報蓄積手段と、
現在の位置を検出する現在位置検出手段と、
時刻発信手段と、
地図の表示条件を入力する操作手段と、
地図を画像表示するための表示手段と、
管理手段と、
を備え、
前記操作手段に入力された表示条件、前記時刻発信手段より発信される時刻、及び前記現在位置検出手段より発信される現在位置情報に基づいて、
前記管理手段が、前記地図データ蓄積手段に記憶されている地図データ、前記表示情報蓄積手段に記憶されている地図表示情報、前記時刻、及び前記現在位置情報からなる群より、表示対象を選択して読出すとともに表示形式を設定し、
前記表示対象を、前記表示形式により、前記表示手段に表示することを特徴とする地図表示システムである。
【０００８】
本考案は、また、
地図データを蓄積する地図データ蓄積部と、
地図表示情報を蓄積する表示情報蓄積部と、
現在の位置を検出する現在位置検出部と、
時計と、
地図の表示条件を入力する操作部と、
地図を画像表示する表示部と、
管理用コンピュータと、
を備え、
前記操作部に入力された表示条件、前記時計より発信される時刻、及び現在位置検出部より発信される現在位置情報に基づいて、
前記管理用コンピュータは、
前記地図データ蓄積部が記憶する地図データ、前記表示情報蓄積部が記憶する地図表示情報、前記時刻、及び前記現在位置情報からなる群より、表示対象を選択し、かつ、表示形式を設定し、
前記表示対象を、前記表示形式により、前記表示部上に表示する、
ことを特徴とする地図表示装置、を提供する。
【０００９】
本考案は、さらに、前記地図表示装置であって、付加情報蓄積部をさらに有する地図表示装置を提供する。
【００１０】
本考案は、さらに、前記地図表示装置であって、前記操作部が、前記表示部上に表示された画像に透視可能に重ねて構成され、指示体の接触または接近により所定の入力を行う画像入力機能を含むことを特徴とする地図表示装置、を提供する。
【考案の効果】
【００１１】
本考案の地図表示システムによれば、地図のユーザが有する種々の異なった要望、変化する要望に、詳細に対応することができる地図表示システムが提供される。
【００１２】
本考案の地図表示装置は、前記本考案の地図表示システムを使用するものであるので、地図のユーザが有する種々の異なった要望、変化する要望に、詳細に対応することができる地図表示装置である。
【図面の簡単な説明】
【００１３】
【図１】本考案の地図表示装置の構成の一例を示すブロック図である。
【図２】本考案の地図表示システムの１形態の動作の概略について説明するフローチャートである。
【図３】実施例の地図表示システムによる地図表示の一例を示す図である。
【考案を実施するための形態】
【００１４】
次に本考案の実施の形態を説明する。本考案の範囲は、以下に示す実施の形態や実施例により限定されない。
【００１５】
（１）地図データ蓄積手段、地図データ蓄積部
前記地図データ蓄積手段とは、地図データを記憶する機能を有する記憶装置（電子部品）からなり、所定の地図データを記憶、蓄積する手段である。本考案の地図表示装置では、この手段として、地図データ蓄積部が設けられている。
【００１６】
記憶、蓄積される地図データは、１種類の形式（例えば、イラスト地図の形式）のものであってもよいが、通常は、２種類以上の多種類の形式の地図データが記憶、蓄積され、その多種類の地図データから、操作手段、操作部からの入力（すなわち、ユーザの要望）等に基づいて、表示される地図データが選択される。２種類以上の地図データが選択されたときは、これらは透視可能に重ね合されて表示される。
【００１７】
この記憶装置（電子部品）としては、例えばスマートフォン中のメモリやハードディスクを挙げることができる。
【００１８】
前記地図データとしては、模式化された地図や略図、イラスト化された地図、図案化された地図、誇張や着色等が施された地図等を挙げることができる。
【００１９】
（２）表示情報蓄積手段、表示情報蓄積部
表示情報蓄積手段とは、地図表示情報を記憶する機能を有する記憶装置（電子部品）からなり、多種類の地図表示情報を記憶、蓄積する手段であり、本考案の地図表示装置では、この手段として、表示情報蓄積部が設けられている。
【００２０】
この記憶装置（電子部品）としては、前記地図データ蓄積手段、地図データ蓄積部と同様に、スマートフォン中のメモリやハードディスク等を挙げることができる。従って、一つの記憶装置（電子部品）が、地図データ蓄積手段、地図データ蓄積部及び表示情報蓄積手段、表示情報蓄積部を兼ねることも可能である。
【００２１】
前記地図表示情報とは、表示手段、表示部に表示された地図データに透視可能に重ねて、画像等として表示される情報であり、ユーザより表示が要望される種々の情報が含まれる。具体的には、施設等の位置表示、日本語・外国語等の文字情報、広告等の画像情報等を挙げることができる。
【００２２】
地図表示情報は、表示部に表示された地図データに透視可能に重ねて表示される画像や文字等とともに、その位置を示す情報を含む。位置を示す情報としては、緯度、経度等を挙げることができる。又は、緯度、経度等の位置情報が入力された一種の地図データであって、当該地図データ上に、地図上の実際の位置に従って前記地図表示情報がイラスト画像や文字等として記載されているものを挙げることができる。このような地図表示情報と地図データを、それぞれが有する位置を示す情報が適合するようにして、透視可能に重ね合せることにより、地図データ上に所望の地図表示情報が表示された画像（所望の地図表示）を、表示手段、表示部上に表示することができる。
【００２３】
（３）現在位置検出手段、現在位置検出部
現在位置検出手段は、本考案の地図表示システムを使用する使用者の現在位置を検出する機能を有する手段であり、本考案の地図表示装置は、この手段として現在位置検出部を有する。
【００２４】
（４）時刻発信手段、時計
時刻発信手段は、現在の時刻、具体的には、時（午前・午後）、分、秒、年、月、日を発信する機能を有する手段であり、本考案の地図表示装置は、この手段として時計を有する。時刻発信手段は、さらに、曜日等を発信できるカレンダー機能を有すると好ましい。又、世界各地の時刻に、変換する機能を有することが好ましい。
【００２５】
（５）操作手段、操作部
操作手段は、表示対象の選択や表示形式の設定等の条件を入力する機能を有する手段であり、本考案の地図表示装置は、この手段として操作部を有する。操作部としては、
１）地図表示装置に設けられた操作ボタン等の入力釦（キーボード上のキー等を含む）、
２）表示部上に表示された画像に透視可能に重ねて構成され、その表面に指等の指示物体を接触又は接近させることにより所定の入力を行う画像入力部
等を挙げることができる。
【００２６】
（６）表示手段、表示部
表示手段は、地図データ、地図表示情報や、現在位置検出手段により検出された現在位置や時計により発信された現在の時刻等を、設定された表示形式で表示する手段である。本考案の地図表示装置は、この手段として表示部を有する。地図表示装置が、パソコンやスマートフォン等の場合は、表示部としては、液晶ディスプレー及びその付属装置からなるものが通常用いられる。表示手段、表示部は、表示部上に表示された画像に透視可能に重ねて構成され、その表面に指等の指示物体を接触又は接近させることにより所定の入力を行う画像入力部として機能することもある。
【００２７】
（７）管理コンピュータ、管理部
操作手段に入力された表示条件、時刻発信手段より発信される時刻、及び現在位置検出手段より発信される現在位置情報等に基づいて、
１）地図データ蓄積手段に記憶されている地図データ、表示情報蓄積手段に記憶されている地図表示情報、時刻、及び現在位置からなる群より、表示対象を選択して読出す、
２）前記表示対象の表示形式を設定する、
３）前記表示対象を、前記表示形式により、表示手段に表示する
機能を有する手段である。本考案の地図表示装置は、この手段として管理部を有する。通常、管理部は、上記の機能を発揮するためのプログラムを処理するＣＰＵからなる。
【００２８】
（８）オプション手段
１）地図表示情報自動表示手段
予め入力されているプログラムに基づいて、自動的に（操作手段、操作部から直接指示する入力がなくても）、表示手段、表示部に、地図表示情報や後述の付属情報等を表示する手段（機能）である。本考案の地図表示システム、地図表示装置は、この手段を有することが好ましい。具体的には、例えば、現在位置検出手段により検出された現在位置が（又は表示手段の画面上の現在位置が）画面上の地図表示の所定に位置に来たとき、所定の地図表示情報を、表示情報蓄積手段に蓄積された地図表示情報や後述の付属情報等から、予め入力されているプログラムに基づいて選択して、所定の形式で表示する機能を有する手段を挙げることができる。
【００２９】
２）付加情報蓄積手段、付加情報蓄積部
本考案の地図表示システム、地図表示装置は、他ページへのリンク、広告、伝言や注意、施設案内、予定等の付加情報を記憶、蓄積する付加情報蓄積手段、付加情報蓄積部をさらに有することが好ましい。付加情報は、ａ）操作手段からの表示の指示の入力により、ｂ）操作手段による地図上の位置の指定により自動的に、又はｃ）前記地図表示情報自動表示手段、等により、付加情報蓄積手段の中から選択されて表示画面上に表示される。付加情報蓄積部は、付加情報を記憶する機能を有する記憶装置（電子部品）からなり、この記憶装置（電子部品）としては、前記地図データ蓄積手段、地図データ蓄積部と同様に、スマートフォン中のメモリやハードディスク等を挙げることができる。従って、一つの記憶装置（電子部品）が、地図データ蓄積手段、地図データ蓄積部、表示情報蓄積手段、表示情報蓄積手段部とともに付加情報蓄積手段、付加情報蓄積部を兼ねることも可能である。
【００３０】
３）外国語表示機能
前記の地図データや表示情報、付加情報として、外国語で翻訳された文字情報・リンク情報を蓄積し、操作手段からの指示等に基づき、前記の地図データや表示情報、付加情報を外国語で表示できる機能を有することが好ましい。
【００３１】
４）外部データ入力機能
本考案の地図表示システム、地図表示装置は、外部に蓄積された情報を、インターネットを通じて入力する機能を備えていてもよい。例えば、他のホームページにリンクさせて、そのホームページから、又はそのホームページがリンクしているホームページから、地図に関する情報を入力して利用する機能を有していてもよい。
【００３２】
（９）地図表示システム、地図表示装置の構成
本考案の地図表示システム、地図表示装置の構成の一例を図１に示す。図に示されるように、この地図表示装置は、地図ユーザの指等により操作されて地図ユーザの意図が入力される操作部、地図データ１、２等の複数の地図データが記憶、蓄積されている地図データ蓄積部、位置情報、文字情報、画像情報等が記憶、蓄積されている表示情報蓄積部、時刻を発信する時計、現在位置を検出する現在位置検出部、さらにリンク情報等が記憶、蓄積されている付加情報蓄積部を有する。さらに、地図表示自動表示手段、インターネットと接続されている外部データ入力機能等を有していてもよい。そして、これらから送付されるデータや情報等に基づいて、管理用コンピュータが、表示対象の選択や表示形式の設定を行い、表示部で所望の地図が表示される。
【００３３】
（１０）地図表示システムの動作
図２は、本考案の地図表示システム、地図表示装置の１形態の動作の概略について説明するフローチャートである。図１、図２に基づき、本考案の地図表示システム、地図表示装置の動作の概略について説明する。
【００３４】
先ず、操作部に地図ユーザの意図に基づく入力がされ、操作部は各種指示を出力する。入力せずに装置を起動させたときは、予めプログラム上で設定された各種指示が出力される。
【００３５】
操作部からの指示に基づき、地図データ蓄積部からの地図データの選択、表示情報蓄積部からの地図表示情報の選択、付加情報等の他の情報の選択が行われ、選択された情報は管理用コンピュータへ入力される。地図データや地図表示情報の選択には、地図データや地図表示情報の種類の選択とともに、表示されるべき地図上の位置の選択も含まれる。表示されるべき地図上の位置の指定は、操作部からの位置情報の入力の他に、検出された現在位置、対象施設の指定等により行うこともできる。
【００３６】
なお、選択の指示がない場合は、予めプログラム上で設定されたものが選択される。又、地図表示自動表示手段が地図表示システムに含まれる場合は、現在位置等に基づき、予め設定されたプログラムが現在位置等に対応する選択をする場合もある。
【００３７】
管理用コンピュータへは、操作部より、地図の表示形式についての指示がされ、管理用コンピュータは、この指示に基づき地図の表示形式を設定する。指示がない場合は、予めプログラム上で設定された表示形式となる。ここで表示形式とは、地図上の地図表示情報の表し方（大きさ、色、文字・装飾の有無等）や、地図の色、現在位置、強調箇所等、とともに縮尺、すなわち地図の拡大、縮小及びその程度も含む。
【００３８】
管理用コンピュータへは、さらに、時計より発信される時刻、及び現在位置検出部より発信される現在位置情報が入力される。管理用コンピュータは、これらの入力された情報、時刻、現在位置等に基づき、表示する図を作製して、表示部へ出力する。表示部は、管理用コンピュータのこの指示に基づき、地図及び付属の情報（地図表示情報等）を表示する。
【００３９】
（１１）本考案の地図表示システム、地図表示装置の利用方法の例
地図表示装置としては、Ｗｅｂブラウザを有する機器、例えばパソコン、スマートフォン（高機能携帯電話、以下「スマホ」と言う）等が挙げられ、これらのパソコン、スマホに、本考案の地図表示システムを表示することにより、これらのパソコン、スマホは、本考案の地図表示装置となる。この場合、Ｗｅｂブラウザが、前記表示手段、表示部となる。パソコン、スマホは、インターネット機能を有しているので、本考案の地図表示システムの表示は、インターネットにより行うことができる。
【００４０】
本考案の地図表示システムの使用を望むユーザは、例えば、広告用チラシ、メルマガ等に記載された、又はメール等により教示された地図ＵＲＬやＱＲコード（登録商標）を使用してインターネット上の本考案の地図表示システムを表示し、スマホ等で利用することができる。又は、ホームページやインターネットで検索して表示されたリンクから本考案の地図表示システムを表示して利用することもできる。
【実施例】
【００４１】
図３は、本考案の一例である実施例の地図表示システムによる地図表示を示す図である。この例は、スマホの表示画面上で表示される「現在地を表示するイラスト地図」である。この例では、スマホが本考案の地図表示装置であり、図で表されているスマホの表示画面が、地図表示装置の表示部である。そして、このスマホに搭載されている地図画像表示システム「現在地を表示するイラスト地図」が、考案の地図表示システムである。
【００４２】
図３に示すように、表示されている地図はイラスト地図であるが、地図上には、表示情報蓄積部に記憶されている文字情報等と付加情報蓄積部に記憶されているリンク情報等が表示され、さらに現在位置検出部が検出した現在位置が表示されている。従って、地図ユーザは、現在位置から目的地までの情報を容易に認識することができ、目的地へのアクセスが容易になる。地図の位置の移動、縮尺の変更は、地図ユーザが表示画面上での指入力により容易に行うことができる。
【図１】
0003201234.tif 000003
【図２】
0003201234.tif 000004
【図３】
0003201234.tif 000005